(57)【要約】【課題】ヘッド内で回転する回転筒を、軸受及び弾性体を介してヘッドに対して回転可能に支持する歯科用インスツルメントにおいて、回転筒を高速回転させるときに発生する音を抑える。【解決手段】歯科用インスツルメント１は、ヘッドケース２０と、該ヘッドケース２０内に配設された回転筒３０と、該回転筒３０を回転自在に保持する下側軸受３２と、該軸受３２をヘッドケース２０に固定するＯリング３４とを備え、回転筒３０が下側軸受３２及びＯリング３４を介してヘッドケース２０に回転可能に支持されている。歯科用インスツルメント１は、さらに、ヘッドケース２０からＯリング３４の方向に突出する突出部を、下側軸受３２の周方向に沿って離間した位置に４つ有する凸部材２２ｂを備える。【選択図】図１
2017099707.tif 000002
【特許請求の範囲】
【請求項１】
ヘッドケースと、該ヘッドケース内に配設された回転筒と、該回転筒を回転自在に保持する軸受と、該軸受を前記ヘッドケースに固定する弾性部材とを備え、前記回転筒が前記軸受及び前記弾性部材を介して前記ヘッドケースに回転可能に支持された歯科用インスツルメントであって、
前記ヘッドケース又は前記軸受から前記弾性部材の方向に突出する突出部を、前記軸受の周方向に沿って離間した位置に３以上有する凸部材を備えることを特徴とする歯科用インスツルメント。
【請求項２】
前記凸部材は、前記ヘッドケース及び前記軸受とは別体に形成されていることを特徴とする請求項１に記載の歯科用インスツルメント。
【発明の詳細な説明】
【技術分野】
【０００１】
本発明は、歯科用インスツルメントに関し、特に、ヘッド内で回転する回転筒を、軸受及び弾性体を介してヘッドに対して回転可能に支持する歯科用インスツルメントに関するものである。
【背景技術】
【０００２】
歯科治療においては、周知のように、歯牙を切削するためのバー（歯科治療用工具）をそのヘッド部に着脱自在に装着し得る歯科用インスツルメントが用いられる。歯科用インスツルメントの駆動にはエアータービンやマイクロモータが使用される。
【０００３】
具体的には、歯科用インスツルメントは、そのヘッド内に、エアー等により高速回転される回転筒が回転可能に支持されており、回転筒にはチャック機構によって切削バーが着脱自在に装着可能となっている。
歯科用インスツルメントのヘッド内での回転筒の支持方法には、図４に示すように、回転筒が挿通される孔１０１を有する軸受１００で回転可能に支持し、該軸受１００を弾性体１０２を介してヘッドケース１０３に固定する方法が多く採用されている（特許文献１〜３参照）。
【先行技術文献】
【特許文献】
【０００４】
【特許文献１】特開２０１２−６５７４１号公報
【特許文献２】特開２０１４−１２０９２号公報
【特許文献３】特開昭４９−１０４４９３号公報
【発明の開示】
【発明が解決しようとする課題】
【０００５】
しかし、図４に示したような特許文献１〜３の歯科用インスツルメントでは切削バーすなわち回転筒を高速回転させるときに発生する音の面で課題がある。
【０００６】
本発明は、上記の課題に鑑みてなされたもので、ヘッド内で回転する回転筒を、軸受及び弾性体を介してヘッドに対して回転可能に支持する歯科用インスツルメントにおいて、回転筒を高速回転させるときに発生する音を抑えることをその目的とする。
【課題を解決するための手段】
【０００７】
上記課題を解決するために、本発明の第１の技術手段は、ヘッドケースと、該ヘッドケース内に配設された回転筒と、該回転筒を回転自在に保持する軸受と、該軸受を前記ヘッドケースに固定する弾性部材とを備え、前記回転筒が前記軸受及び前記弾性部材を介して前記ヘッドケースに回転可能に支持された歯科用インスツルメントであって、前記ヘッドケース又は前記軸受から前記弾性部材の方向に突出する突出部を、前記軸受の周方向に沿って離間した位置に３以上有する凸部材を備えることを特徴としたものである。
【０００８】
本発明の第２の技術手段は、第１の技術手段において、前記凸部材が、前記ヘッドケース及び前記軸受とは別体に形成されていることを特徴としたものである。
【発明の効果】
【０００９】
本発明の歯科用インスツルメントによれば、軸受及び弾性体を介してヘッドに対して回転可能に支持された回転筒を高速回転させる際に発生する音を抑えることができる。
【図面の簡単な説明】
【００１０】
【図１】本発明の一実施形態に係る歯科用インスツルメントの外観図である。
【図２】図１に示す歯科用インスツルメントのヘッド部の一構成例の断面図である。
【図３】図２に示す歯科用インスツルメントのヘッド部の軸受の固定構造を説明するための図である。
【図４】本発明の課題を説明するための図である。
【発明を実施するための形態】
【００１１】
以下、図面を参照しながら本発明の好適な実施形態について説明する。以下の説明において、異なる図面において同じ符号を付した構成部材は同様のものであるとして、その説明を省略する場合がある。
【００１２】
図１は、本発明の一実施形態に係る歯科用インスツルメントの外観図であり、図２は、図１に示す歯科用インスツルメントのヘッド部の一構成例の断面図である。
【００１３】
図１に示す歯科用インスツルメント１は、グリップ部２及びヘッド部３を備える。グリップ部２の後端にはエアーや水などをヘッド部３に向けて供給可能なコード５が配設されている。
グリップ部２は、施術者が施術時に握る部分であり、例えば湾曲して形成されており、その前端には、歯科治療用工具である切削バー４を着脱自在に装着可能なヘッド部３が設けられている。
ヘッド部３内には、例えばフットコントローラ（図示省略）を踏み込んだ場合、エアーが供給され、フットコントローラの踏み込みを止めた場合、エアーの供給が停止される。
【００１４】
図２に示すように、ヘッド部３は、グリップ部に連結する連結筒１０と、その連結筒１０を通してエアーが供給されるタービン室１１を有する。連結筒１０には、給気路１３、排気路１２やライトガイド１４が形成されている。給気路１３や排気路１２はタービン室１１に開口し、ガイド路１４は排気路１２の下方に配設され、切削バー４の先端付近に向けて開口している。ガイド路１４には例えば先端に照明デバイスが設けられた照明ケーブルを導入することができる。
【００１５】
また、ヘッド部３は、切削バー４を軸支するためのヘッドケース２０を有する。ヘッドケース２０は、連結筒１０と一体に形成されたアウターケース２１と、該アウターケース２１の下側に着脱可能に装着された下側インナーケース２２と、アウターケース２１により形成されるタービン室１１を上側から塞ぐ上側インナーケース２３とを有する。
【００１６】
このヘッドケース２０内には、径方向外側に向けて延びる翼部３０ａが形成されていると共に切削バー４が装着される回転筒３０と、回転筒３０の軸方向に互いに離間している上側軸受３１及び下側軸受３２と、が設けられている。上側軸受３１及び下側軸受３２は例えばボールベアリングである。回転筒３０は、上側軸受３１及び下側軸受３２の内輪（インナーレース）３１ａ，３２ａと一体的に回転するように該内輪３１ａ，３２ａに固定され、上側軸受３１及び下側軸受３２の外輪（アウターレース）３１ｂ，３２ｂがそれぞれ弾性部材であるＯリング３３、３４を介して上側または下側インナーケース２３，２２に固定されている。これによって、回転筒３０がヘッドケース２０内に回転可能に支持されている。
なお、下側軸受３２の外輪３２ｂの上部には、外側に延び出すフランジ３２ｃが設けられており、該フランジ３２ｃによって、Ｏリング３４がタービン室１１に入り込むことを防いでいる。
【００１７】
また、回転筒３０の内部にはチャック機構４０が設けられており、このチャック機構４０によって、回転筒３０の装着用開口４１から挿入された切削バー４を着脱自在に保持できるようになっている。ヘッドケース２０はキャップ４２を上部に有しており、例えば、キャップ４２をバネ４３の付勢に抗してヘッドケース２０の内側方向に押すことによって、回転筒３０に設けたチャック機構４０を解放状態にすることができる。
【００１８】
本発明の特徴部に係る下側インナーケース２２は、外側形状がアウターケース２１の下部の内側形状と同様である本体２２ａを有する。さらに、下側インナーケース２２は、本体２２ａとは別体の凸部材２２ｂを有する。
【００１９】
図３は、下側インナーケース２２にＯリング３４を介して下側軸受３２が取り付けられている様子を上側から見た図であり、下側軸受３２のフランジ３２ｃの図示を省略している。
凸部材２２ｂは、図３に示すように、本体２２ａの内壁からＯリング３４の方向に突出する突出部２２ｃを、下側軸受３２の周方向に沿って等間隔に離間した位置に４つ有し、また、これら突出部２２ｃを連結する連結部２２ｄを有する。
【００２０】
一般に、歯科用インスツルメントにおいて、回転筒を軸支するためのＯリングに柔らかい素材を用いることで、回転筒がエアーにより高速回転するときに発生する音が小さくなることが知られている。しかし、上記Ｏリングに弾性係数が低く柔らかい素材を用いると、歯科用インスツルメントで歯牙を切削する際に切削バーが弾かれてしまう。
また、上記Ｏリングに弾性係数が高く硬い素材を用いると、歯科用インスツルメントの切削バーが弾かれることを防ぐことができるが、回転筒を高速回転するときに発生する音が大きくなってしまう。
【００２１】
そこで、本発明の歯科用インスツルメントにおいては、上述のように、凸部材２２ｂを用いることにより、周方向に関し、Ｏリング３４の外周と下側インナーケース２２が全て接するのではなく、一部が接するようにしている。これにより、回転筒３０を高速回転するときに発生する音を防ぐと共に、歯牙を切削する際に切削バー４が弾かれるのを防ぐことができる。
なお、凸部材２２ｂの連結部２２ｄは、例えば円輪状に形成され、突出部２２ｃは該連結部２２ｄから上方に延出する柱状に形成される。
【００２２】
以上の例では、下側軸受に対するＯリングの外側に、下側インナーケースの内壁から上記Ｏリングの方向に突出する突出部を有する凸部材設けていた。これに代えて、上記Ｏリングの内側に、下側軸受の外輪の外壁に上記Ｏリングの方向に突出する突出部を設けるようにしてもよい。この構成であっても、回転筒を高速回転するときに発生する音を防ぐと共に、歯牙を切削する際に切削バーが弾かれるのを防ぐことができる。
なお、下側軸受の外輪の外壁に突出部を設ける場合、Ｏリングを抑えるフランジ部は、下側インナーケースに設けることが好ましい。その方が加工が容易だからである。
【００２３】
また、以上の例では、凸部材は下側インナーケースと別体で構成されていたが、一体で構成されていてもよい。ただし、下側インナーケースにステンレス鋼等の金属材料を用いており、上記凸部材を一体的に形成するにはコストがかかるため、別体の方がよりコストの面で優れている。
【００２４】
なお、以上の例では、凸部材が有する突出部の数は４つであったが、本発明はこれに限定されず、３以上であればよい。
以上の例では、下側軸受に対してのみ、凸部材を設ける構成であったが、上側軸受に対しても設けてもよいし、下側軸受と上側軸受の両方に対して設けてもよい。
また、以上では、歯科用インスツルメントの駆動にエアータービンを用いる例を説明したが、本発明の構造は、エアータービンに代えてマイクロモータを用いる構成に対しても適用可能である。
【符号の説明】
【００２５】
１…歯科用インスツルメント、２…グリップ部、３…ヘッド部、４…切削バー、５…コード、１０…連結筒、１１…タービン室、１２…排気路、１３…給気路、１４…注水路、２０…ヘッドケース、２１…アウターケース、２２…下側インナーケース、２２ａ…本体、２２ｂ…凸部材、２２ｃ…突出部、２２ｄ…連結部、２３…上側インナーケース、３０…回転筒、３０ａ…翼部、３１…上側軸受、３２…下側軸受、３２ｃ…フランジ、３３…Ｏリング、３４…Ｏリング、４０…チャック機構。
【図１】
2017099707.tif 000003
【図２】
2017099707.tif 000004
【図３】
2017099707.tif 000005
【図４】
2017099707.tif 000006